(57)【要約】【課題】エンドトキシンを利用して、人間の免疫システムをバランスのよい構成として、アレルギー体質になることを防止する免疫システム獲得補助具を提供する。【課題の解決手段】免疫システム獲得補助具１は、牛糞を乾燥して砕いたエンドトキシン供給材２を、ほぼ全面的に通気孔４を有する布で形成した収納部材たる袋３に収納してなるものである。この補助具１は、室内の所定の場所に配置することによって、乾燥した牛糞に含まれる各種細菌の死骸から発生した、人体には害を及ぼさない適量のエンドトキシンがエンドトキシン供給材２から発散して乳幼児に暴露し、細菌型免疫システムを獲得させることによって、人体の免疫システムにおいて細菌型免疫システムとＩｇＥ型免疫システムとのバランスをとり、乳幼児が成長後にアレルギー体質になることを防止する。【選択図】図２
0003166599.tif 000002
【実用新案登録請求の範囲】
【請求項１】
家畜の糞を乾燥、粉砕してなるエンドトキシン供給材を、少なくとも一部に前記エンドトキシン供給材が通過可能な大きさの通気孔を有する収納部材に収納してなる細菌型免疫システム獲得補助具。
【請求項２】
牛糞を乾燥、粉砕し、消毒してなるエンドトキシン供給材を、通気性を有し、前記エンドトキシン供給材が通過可能な不織布で形成した袋に収納してなる細菌型免疫システム獲得補助具。
【考案の詳細な説明】
【技術分野】
【０００１】
本考案は、乳幼児用の細菌型免疫システム獲得補助具に係り、特に、牛などの家畜糞に含まれるエンドトキシンを利用したものに関するものである。
【背景技術】
【０００２】
近年、アレルギー性ぜんそくや花粉症あるいはダニアレルギーなどにかかるアレルギー体質の人が増加しているが、これに対しては免疫賦活作用をもつ各種薬剤（特許文献１参照。）が使用されている。
【先行技術文献】
【特許文献】
【０００３】
【特許文献１】特開平１１−１９３２４６号公報
【考案の概要】
【考案が解決しようとする課題】
【０００４】
しかしながら現在、前記特許文献１のようにアレルギーの発症を抑えたり、症状を軽減するものはあっても、根本的にアレルギー体質を変える薬剤などは存在しないという問題がある。そして、免疫システムは、細菌型とＩｇＥ型とがあるが、アレルギー体質は乳幼児期に適切な細菌型免疫システムを獲得できなかった場合に発生することが解明されている。
【０００５】
本考案は、以上の知見に基づいて上記問題を解消することを課題とし、エンドトキシンを利用して前記課題を解決した細菌型免疫システム獲得補助具を提供することを目的とする。
【課題を解決するための手段】
【０００６】
前記目的を達成するために、請求項１に係る本考案の細菌型免疫システム獲得補助具は、家畜の糞を乾燥、粉砕してなるエンドトキシン供給材を、少なくとも一部に前記エンドトキシン供給材が通過しうる大きさの通気孔を有する収納部材に収納してなるものである。
【０００７】
また、請求項２に係る細菌型免疫システム獲得補助具は、牛糞を乾燥して砕き、消毒してなるエンドトキシン供給材を、通気性を有する不織布で形成した袋に収納してなるものである。
【考案の効果】
【０００８】
請求項１に係る細菌型免疫システム獲得補助具は、室内の適当な場所に配置することによって、家畜の糞に含まれる各種細菌の死骸から発生したエンドトキシンが付着したエンドトキシン供給材から、人体には害を及ぼさない適量のエンドトキシンが、収納部材の通気孔から発散して乳幼児に暴露し、細菌型免疫システムを確実に獲得させるので、人体の免疫システムにおいて細菌型免疫システムとＩｇＥ型免疫システムとのバランスがとれ、乳幼児が成長後にアレルギー体質になることを防止することができるという効果を奏する。
【０００９】
また、請求項２に係る細菌型免疫システム獲得補助具は、室内の適当な場所に配置することによって、乾燥した牛糞に含まれる各種細菌の死骸から発生したエンドトキシンが付着したエンドトキシン供給材から、人体には害を及ぼさない適量のエンドトキシンが、通気性を有する袋から発散して乳幼児に暴露し、細菌型免疫システムを獲得させるので、人体の免疫システムにおいて細菌型免疫システムとＩｇＥ型免疫システムとのバランスがとれ、乳幼児が成長後にアレルギー体質になることを防止することができるという効果を奏する。
【図面の簡単な説明】
【００１０】
【図１】図１は補助具の平面図である。
【図２】図２は図１のＡ−Ａ線断面図である。
【考案を実施するための形態】
【００１１】
以下に本考案の実施形態を添付図面の図１及び図２により詳細に説明するが、その説明の前に、人間などの哺乳類の免疫システムについて説明する。前記免疫システムは、細菌型免疫システムとＩｇＥ型免疫システムとからなり、成人が有するこれらシステムのバランスは乳幼児期に決定されることが近年わかってきた。前記細菌型免疫システムは、細菌の攻撃を受けるとこれに対抗する免疫物質を作成して細菌類を撃退するというものであり、また、前記ＩｇＥ型免疫システムは、寄生虫や吸血ダニ、家ダニ、カビ、花粉などのアレルゲンに対抗するもので、前記アレルゲンが体内に侵入すると、炎症物質（免疫物質）を作成してこれらを排除するというものである。そして、前記免疫システムは、細菌型免疫システムとＩｇＥ型免疫システムとのバランスがとれていれば、アレルギー体質になる可能性が小さいが、細菌型免疫システムが皆無だったり弱いとＩｇＥ型免疫システムが強くなりすぎ、アレルゲンが体内に侵入すると過剰反応で前記炎症物質を必要以上に大量に作り出すアレルギー体質となり、花粉症、ぜんそくなどが発症し易くなる。
【００１２】
ところで、エンドトキシンは、細菌の死骸内部から発生するもので毒性がきわめて強く、血液中にエンドトキシンが侵入すると死亡する場合もあることが従来より知られている。そのため現代の日本、特に都市部では、細菌性の病気を防ぐために細菌をできるだけ排除して乳幼児を育てることが一般化している。
【００１３】
一方、近年の研究では、前記細菌型免疫システムを獲得させる物質がエンドトキシンであることが分かってきている。また、このエンドトキシンは、注射などで血液中に直接注入された場合は極めて危険であるが、呼吸系統から体内に入ったり、皮膚に付着した場合には、身体に悪影響を及ぼさないことも分かっている。そして、前述のように乳幼児期に細菌と接触させない育児を行うと、エンドトキシンが体内に入らないため前記細菌型免疫システムが獲得できず、前述のようにＩｇＥ型免疫システムが強くなりすぎ、成長後にアレルギー体質になる可能性が高い。なお、細菌型免疫システムとＩｇＥ型免疫システムのバランスを成長後に改善することは、現代医学ではできていない。
【００１４】
次に、本考案の実施形態を添付図面の図1及び図２に基づいて詳細に説明する。
【００１５】
図１及び図２に示すように、乳幼児に細菌型免疫システムを獲得させて、成長過程で免疫システムをバランスよく成熟させるための補助具１は、家畜の糞である牛糞をミキサーなどで砕いたものを１日程度天日乾燥してエタノールで消毒してなるエンドトキシン供給材２を、ほぼ全面的に通気孔４を有する布で形成した収納部材たる袋３に収納してなる。前記袋３の通気孔４からエンドトキシンが通過する。
【００１６】
前記エンドトキシン供給材２には、牛糞内の細菌の死骸から発生するエンドトキシンが付着している。このエンドトキシン供給材２を袋３に収納してなる補助体１を、直接、あるいは同様の袋３にさらに収納したうえ、乳幼児がいる室内、例えば育児室内などに吊るしたり、家具上に載置して配置しておくと、前記エンドトキシン供給材２中のエンドトキシンが前記袋３の多数の通気孔４から外部に徐々に発散して、これが乳幼児に暴露する。
【００１７】
そして、エンドトキシンを暴露された乳幼児の免疫システムは、細菌型免疫システムを確実に獲得することによって、成長過程でこの細菌型免疫システムとＩｇＥ型免疫システムとをバランスよく有する構成となり、該乳幼児が成長してもこのバランスのよい免疫システムは変更することがなく、アレルギー体質になりにくい。なお、前記エンドトキシン供給材２から発生するエンドトキシン量は人体に悪影響を与えるレベルでないことは、昔から牛を扱う農家などで牛糞が原因で体調を崩したという例がないことをみれば明らかである。
【００１８】
なお、本考案は、上記実施形態になんら限定されるものではなく、例えば、エンドトキシン供給材２は、牛ではなく、豚、ヤギなどの家畜の糞を材料とするものであってもよいし、乾燥と粉砕の順序は問わない。また、収納部材３は、通気孔４を有する布製の袋のほか、通気性を有する不織布製の袋でもよく、さらには、通気孔を形成した紙製、樹脂製などの袋であってもよい。また、収納部材３は、開閉蓋を有する多数の通気孔を設けた箱状や皿状の容器であってもよい。
【符号の説明】
【００１９】
１    補助具
２    エンドトキシン供給材
３    袋
４    通気孔
【図１】
0003166599.tif 000003
【図２】
0003166599.tif 000004